(57)【特許請求の範囲】
【請求項１】
容器本体と、この容器本体の上面を蓋する蓋体とを備えたコンパクト容器であって、上記容器本体の前後部にヒンジ軸と突条とが設けられ、上記蓋体の前後部に、閉蓋時に上記各ヒンジ軸に係止する係止部が設けられているとともに、開蓋に際して上記蓋体を前方または後方にスライドすることにより上記ヒンジ軸の一方に回動自在に連結する連結部と上記突条に係止する段部とが設けられ、上記一方のヒンジ軸と連結部とが連結することにより、他方のヒンジ軸と上記係止部との係止が外れ、他方のヒンジ軸側の容器本体の上記突条と蓋体の上記段部とが係脱自在に係止するようになっており、蓋体が一方のヒンジ軸を中心に回動して開蓋状態になることを特徴とするコンパクト容器。
【発明の詳細な説明】
【０００１】
【発明の属する技術分野】
本発明は、蓋体を２方向に開閉可能とするコンパクト容器に関するものである。
【０００２】
【従来の技術】
従来から、ファンデーション等の化粧料を収容して携帯するコンパクト容器であって、蓋体を２方向に開閉可能とするものとして、実開平３−８１０１１号公報に示すようなものが提案されている。このものは、図７に示すように、化粧料容器（図示せず）を収容する容器本体５１の前後端部にそれぞれ水平バー５３が設けられており、上記容器本体５１の上面を覆う蓋体５２の下面には、上記水平バー５３に対応する位置に水平バー５３とそれぞれ着脱自在に係合可能な蝶番フック５７が設けられている。さらに、上記蓋体５２の前後端部には、蝶番フック５７に対応する位置に水平バー５３と蝶番フック５７との係合を解除するための解除部材６０が設けられている。
【０００３】
そして、蓋体５２の閉蓋状態では、各水平バー５３に蝶番フック５７がそれぞれ係合しており、開蓋する際には、いずれか一方の解除部材６０を操作し、その操作した側の水平バー５３と蝶番フック５７との係合を解除する。
【０００４】
【発明が解決しようとする課題】
しかしながら、上記従来のコンパクト容器では、蓋体５２の閉蓋状態で、各蝶番フック５７が共に各水平バー５３と係合しているため、開蓋する際には、水平バー５３と蝶番フック５７との係合を解除し、閉蓋する際には、水平バー５３と蝶番フック５７とを係合させるという大きな力を要する。また、上記係合解除に、解除部材６０の操作を要するため、解除部材６０等の部品が必要となり、コンパクト容器が複雑な構造になる。
【０００５】
本発明は、このような事情に鑑みなされたもので、蓋体を２方向に開閉可能とするコンパクト容器において、小さい力で蓋体を開閉することができ、構造が簡単となるコンパクト容器の提供をその目的とする。
【０００６】
【課題を解決するための手段】
上記の目的を達成するため、本発明のコンパクト容器は、容器本体と、この容器本体の上面を蓋する蓋体とを備えたコンパクト容器であって、上記容器本体の前後部にヒンジ軸と突条とが設けられ、上記蓋体の前後部に、閉蓋時に上記各ヒンジ軸に係止する係止部が設けられているとともに、開蓋に際して上記蓋体を前方または後方にスライドすることにより上記ヒンジ軸の一方に回動自在に連結する連結部と上記突条に係止する段部とが設けられ、上記一方のヒンジ軸と連結部とが連結することにより、他方のヒンジ軸と上記係止部との係止が外れ、他方のヒンジ軸側の容器本体の上記突条と蓋体の上記段部とが係脱自在に係止するようになっており、蓋体が一方のヒンジ軸を中心に回動して開蓋状態になるという構成をとる。
【０００７】
すなわち、本発明のコンパクト容器は、容器本体の前後部にヒンジ軸が設けられ、蓋体の前後部に、閉蓋時に上記各ヒンジ軸に係止する係止部が設けられているとともに、開蓋に際して上記蓋体を前方または後方にスライドすることにより上記ヒンジ軸の一方に回動自在に連結する連結部が設けられ、上記一方のヒンジ軸と連結部とが連結することにより、他方のヒンジ軸と上記係止部との係止が外れ、蓋体が一方のヒンジ軸を中心に回動して開蓋状態になる。このため、蓋体を開閉する際には、蓋体と他方のヒンジ軸とが係合していない。したがって、小さい力で蓋体を開閉することができる。さらに、蓋体と他方のヒンジ軸とが係合していないため、上記係合を解除するための解除部材が不要となる。したがって、コンパクト容器の構造を簡単なものとすることができる。
【０００８】
また、本発明のコンパクト容器では、上記容器本体の前後部に突条を設け、上記蓋体の前後部に段部を設け、上記一方のヒンジ軸と連結部とが連結することにより、他方のヒンジ軸側の容器本体の上記突条と蓋体の上記段部とが係脱自在に係止するようになっているため、各係止部とヒンジ軸とが係止した状態にすることなく、閉蓋状態とすることができ、この閉蓋状態から蓋体を開閉することができる。さらに、もし他方のヒンジ軸が折れたり、無くなったり等しても、上記のように閉蓋状態を維持することができ、一方のヒンジ軸を蓋体の回動軸として（蓋体が１方向に開閉可能なものとして）コンパクト容器を使用することができる。
【０００９】
【発明の実施の形態】
つぎに、本発明の実施の形態を図面にもとづいて詳しく説明する。
【００１０】
図１および図２は、本発明のコンパクト容器の一実施の形態を示している。この実施の形態では、コンパクト容器は、上面に化粧料容器（図示せず）を収容する凹部１ａが形成された容器本体１と、この容器本体１の上面を蓋して前後方向にスライド可能な蓋体２とを備えている。そして、上記容器本体１の前後部には、円柱状のヒンジ軸３，４が設けられている。また、上記蓋体２の前後部には、閉蓋時に上記各ヒンジ軸３，４に係止する係止部５，６が設けられているとともに、開蓋に際して上記蓋体２を前方にスライドすることにより前方のヒンジ軸３に回動自在に連結する連結部７および後方にスライドすることにより後方のヒンジ軸４に回動自在に連結する連結部８が設けられている。そして、前方のヒンジ軸３と連結部７とを連結させると、後方のヒンジ軸４と上記係止部６との係止が外れ、蓋体２が前方のヒンジ軸３を中心に回動自在となり、開蓋可能となるようになっている。同様に、後方のヒンジ軸４と連結部８とを連結させると、前方のヒンジ軸３と上記係止部５との係止が外れ、蓋体２が後方のヒンジ軸４を中心に回動自在となり、開蓋可能となるようにもなっている。
【００１１】
より詳しく説明すると、上記容器本体１は、ＡＢＳ樹脂，スチロール樹脂等の樹脂製であり、図３に示すように、前後対称かつ左右対称の形状をしている。すなわち、容器本体１は、平面視で、前後方向（図３では、左右方向）に長い略長方形に形成され、前後端部に略コ字状の凹所９，１０が前後方向を開放させて形成されており、上面中央部に上記凹部１ａが形成されている。また、各凹所９，１０の奥面には、下記蓋体２の各垂下部１３，１４に形成された段部１７，１８を係止させる断面略半円状（図５および図６参照）の突条１１，１２が水平に形成されている。そして、上記ヒンジ軸３，４は、各凹所９，１０の開放部の先端部に差し渡すようにして水平に設けられている。
【００１２】
上記蓋体２も、ＡＢＳ製，スチロール樹脂等の樹脂製であり、図４に示すように、前後対称かつ左右対称の形状をしている。すなわち、蓋体２は、平面視で前後方向（図４では、左右方向）に長い略長方形に形成されており、下面前後端部に上記係止部５，６および連結部７，８が設けられた垂下部１３，１４が形成されている。これら垂下部１３，１４は、上記略コ字状の各凹所９，１０に対応する位置にそれぞれ形成されており、閉蓋状態では、上記各凹所９，１０に挿入されるようになっている。そして、図５および図６に示すように、各垂下部１３，１４の下端部外側（前方の垂下部１３では前側、後方の垂下部１４では後側）は、外側上方に向かって傾斜する傾斜面１５，１６に形成されている。また、上記係止部５，６は、上記傾斜面１５，１６の上方に設けられ、閉蓋状態において、上記ヒンジ軸３，４の上方部および内側下方部に当接することにより、ヒンジ軸３，４に係止するようになっている。さらに、上記連結部７，８は、上記係止部５，６の内側に隣接して設けられ、断面がそれ自体の外側（係止部側）を開放させた略Ｃ字状に形成されている。そして、この略Ｃ字状の内側は、上記ヒンジ軸３，４の外径よりも僅かに大きくなっており、略Ｃ字状の開放部の幅は、上記ヒンジ軸３，４の外径よりも僅かに小さくなっている。また、各垂下部１３，１４の内側には、段部１７，１８が形成されており、上記蓋体２を前方にスライドさせることにより前方のヒンジ軸３と連結部７とを連結させると、後方の垂下部１４の段部１８が後方のヒンジ軸４側の凹所１０の奥面に形成された突条１２の下方に係止するようになっている。同様に、上記蓋体２を後方にスライドさせることにより後方のヒンジ軸４と連結部８とを連結させると、前方の垂下部１３の段部１７が前方のヒンジ軸３側の凹所９の奥面に形成された突条１１の下方に係止するようになっている。
【００１３】
上記構成において、容器本体１に蓋体２を取り付ける際には、図１および図２に示すようにして蓋体２を降ろしていくと、各垂下部１３，１４の傾斜面１５，１６がヒンジ軸に当ったのちに、傾斜面１５，１６に沿って各垂下部１３，１４が内側に撓み、係止部５，６がヒンジ軸３，４に位置すると、各垂下部１３，１４が元の（撓む前の）状態に戻る。その結果、図５に示すような閉蓋状態となり、上記係止部５，６が各ヒンジ軸３，４に係止した状態となる。そして、この閉蓋状態から開蓋する際には、図６に示すように、まず、上記蓋体２を前方（図６では、左方向）にスライドさせることにより、前方のヒンジ軸３と連結部７とを連結させるとともに、後方のヒンジ軸４と上記係止部６との係止を外し、後方のヒンジ軸４側の凹所１０の奥面の突条１２と垂下部１４の段部１８とを係止させる。そののち、上記突条１２と段部１８との係止を外し、前方のヒンジ軸３を中心に蓋体２を上方に回動させて開蓋する。また、開蓋後に再度閉蓋する際には、前方のヒンジ軸３を中心に蓋体２を下方に回動させ、上記突条１２と段部１８とを係止させてもよいし、この突条１２と段部１８との係止状態から、上記蓋体２を後方（図６では、右方向）にスライドさせ、図５に示すように、上記係止部５，６を各ヒンジ軸３，４に係止させてもよい。
【００１４】
また、閉蓋状態から開蓋する際には、上記とは逆に、蓋体２を後方（図６では、右方向）にスライドさせることもできる。この場合には、蓋体２の開く方向が上記とは逆になり、上記と同様にして蓋体２を開閉することができる。
【００１５】
このように、上記実施の形態によれば、蓋体２を２方向に開閉することができる。しかも、その開閉は、蓋体２を前方（または後方）にスライドさせることにより、蓋体２の回動軸となる前方のヒンジ軸３（蓋体２を後方にスライドさせた場合には、後方のヒンジ軸４）に連結させるとともに、後方のヒンジ軸４と蓋体２の係止部６との係止（蓋体２を後方にスライドさせた場合には、前方のヒンジ軸３と蓋体２の係止部５との係止）を外すため、図７に示す従来のコンパクト容器と異なり、蓋体２を開閉する際には、蓋体２と後方のヒンジ軸４（蓋体２を後方にスライドさせた場合には、前方のヒンジ軸３）とが係合していない。したがって、開蓋する際には、蓋体２と後方のヒンジ軸４（蓋体２を後方にスライドさせた場合には、前方のヒンジ軸３）との係合を解除する必要がなく、閉蓋する際にも、蓋体２と後方のヒンジ軸４（蓋体２を後方にスライドさせた場合には、前方のヒンジ軸３）とを係合させる必要がない。このため、小さい力で蓋体２を開閉することができる。さらに、蓋体２を開閉する際には、蓋体２と後方のヒンジ軸４（蓋体２を後方にスライドさせた場合には、前方のヒンジ軸３）とが係合していないため、図７に示す従来のコンパクト容器と異なり、解除部材が不要となる。したがって、コンパクト容器の構造を簡単なものとすることができる。
【００１６】
また、蓋体２を前方（または後方）にスライドさせて回動軸となる前方のヒンジ軸３（蓋体２を後方にスライドさせた場合には、後方のヒンジ軸４）に連結させた際に、後方のヒンジ軸４側（蓋体２を後方にスライドさせた場合には、前方のヒンジ軸３側）の容器本体１と蓋体２とが係脱自在に係止するように、容器本体１の略コ字状の各凹所９，１０の奥面に突条１１，１２を形成するとともに、蓋体２の各垂下部１３，１４の内側に段部１７，１８を形成しているため、図５に示すような各ヒンジ軸３，４と係止部５，６とが係止した状態にすることなく、図６に示すような突条１２と段部１８とを係止させた状態（蓋体２を後方にスライドさせた場合には、図示しないが、突条１１と段部１７とを係止させた状態）を閉蓋状態とし、この閉蓋状態から蓋体２を開閉することができる。さらに、このように上記突条１１，１２と段部１７，１８とを形成した場合には、もし後方のヒンジ軸４が折れたり、無くなったり等しても、上記のように蓋体２の閉蓋状態を維持することができ、前方のヒンジ軸３を蓋体２の回動軸として（蓋体２が１方向に開閉可能なものとして）上記コンパクト容器を使用することができる。
【００１７】
【発明の効果】
以上のように、本発明のコンパクト容器によれば、容器本体の前後部にヒンジ軸が設けられ、蓋体の前後部に、閉蓋時に上記各ヒンジ軸に係止する係止部が設けられているとともに、開蓋に際して上記蓋体を前方または後方にスライドすることにより上記ヒンジ軸の一方に回動自在に連結する連結部が設けられ、上記一方のヒンジ軸と連結部とが連結することにより、他方のヒンジ軸と上記係止部との係止が外れ、蓋体が一方のヒンジ軸を中心に回動して開蓋状態になる。このため、蓋体を開閉する際には、蓋体と他方のヒンジ軸とが係合していない。したがって、小さい力で蓋体を開閉することができる。さらに、蓋体と他方のヒンジ軸とが係合していないため、上記係合を解除するための解除部材が不要となる。したがって、コンパクト容器の構造を簡単なものとすることができる。
【００１８】
また、本発明のコンパクト容器では、上記容器本体の前後部に突条を設け、上記蓋体の前後部に段部を設け、上記一方のヒンジ軸と連結部とが連結することにより、他方のヒンジ軸側の容器本体の上記突条と蓋体の上記段部とが係脱自在に係止するようになっているため、各係止部とヒンジ軸とが係止した状態にすることなく、閉蓋状態とすることができ、この閉蓋状態から蓋体を開閉することができる。さらに、もし他方のヒンジ軸が折れたり、無くなったり等しても、上記のように閉蓋状態を維持することができ、一方のヒンジ軸を蓋体の回動軸として（蓋体が１方向に開閉可能なものとして）コンパクト容器を使用することができる。
【図面の簡単な説明】
【図１】本発明のコンパクト容器の一実施の形態を示す分解斜視図である。
【図２】上記コンパクト容器を前方から見た分解図である。
【図３】上記コンパクト容器の容器本体を示す平面図である。
【図４】上記コンパクト容器の蓋体を示す底面図である。
【図５】上記コンパクト容器の使用方法を示す説明図である。
【図６】上記コンパクト容器の使用方法を示す説明図である。
【図７】従来のコンパクト容器を示す断面図である。
【符号の説明】
１  容器本体
２  蓋体
３，４  ヒンジ軸
５，６  係止部
７  連結部
【図１】
0004659174.tif 000002
【図２】
0004659174.tif 000003
【図３】
0004659174.tif 000004
【図４】
0004659174.tif 000005
【図５】
0004659174.tif 000006
【図６】
0004659174.tif 000007
【図７】
0004659174.tif 000008